(57)【要約】【課題】カラー画像に係る原稿をモノクロ印刷した出力物のみが手元にあり、その原稿は手元にない場合であっても、元のカラー画像原稿を復元可能な画像処理方法を提供する。【解決手段】色彩指定情報及び領域指定情報が付加されている原稿を読み取り、前記読み取った原稿から、当該原稿に係る画像、並びに、前記色彩指定情報及び前記領域指定情報を取得し、前記取得した原稿に係る画像のうち当該取得した領域指定情報に基づく指定領域に対して、当該取得した色彩指定情報に基づく色彩を施し、前記画像処理後の原稿に係るカラー画像を出力する。【選択図】  図３
2009253666.tif 000002
【特許請求の範囲】
【請求項１】
原稿画像に係る色彩を指定するための色彩指定情報及びその色彩を施すべき領域を指定するための領域指定情報が付加されている原稿を読み取る原稿読取工程と、
前記原稿読取工程で読み取った原稿から、当該原稿に係る画像、並びに、前記色彩指定情報及び前記領域指定情報を取得する情報取得工程と、
前記情報取得工程で取得した原稿に係る画像のうち当該取得した領域指定情報に基づく指定領域に対して、当該取得した色彩指定情報に基づく色彩を施す画像処理工程と、
前記画像処理工程で画像処理後の原稿に係るカラー画像を出力する画像出力工程と、
を備えたことを特徴とする画像処理方法。
【請求項２】
原稿画像に係る色彩を指定するための色彩指定情報及びその色彩を施すべき領域を指定するための領域指定情報が付加されている原稿を読み取る原稿読取手段と、
前記原稿読取手段で読み取った原稿から、当該原稿に係る画像、並びに、前記色彩指定情報及び前記領域指定情報を取得する情報取得手段と、
前記情報取得手段で取得した原稿に係る画像のうち当該取得した領域指定情報に基づく指定領域に対して、当該取得した色彩指定情報に基づく色彩を施す画像処理手段と、
前記画像処理手段で画像処理後の原稿に係るカラー画像を形成する画像形成手段と、
を備えたことを特徴とする画像形成装置。
【請求項３】
請求項２記載の画像形成装置であって、
前記色彩指定情報で指定される色彩は、
前記原稿画像に係る濃度バリエーションによって指定され、
前記領域指定情報で指定される領域は、
前記原稿画像に係る存在領域によって指定され、
前記原稿画像に係る濃度バリエーションに対し、該当する色彩をそれぞれ関係付けて記憶する色変換テーブルをさらに備え、
前記画像処理手段は、
前記原稿画像に係る存在領域に対して、前記原稿画像に係る濃度と、前記色変換テーブルと、に基づき求められた色彩を施す、
ことを特徴とする画像形成装置。
【請求項４】
請求項２記載の画像形成装置であって、
前記色彩指定情報で指定される色彩は、
パターン画像のバリエーションによって指定され、
前記領域指定情報で指定される領域は、
前記原稿画像に係る存在領域によって指定され、
前記パターン画像のバリエーションに対し、該当する色彩をそれぞれ関係付けて記憶する色変換テーブルをさらに備え、
前記画像処理手段は、
前記原稿画像に係る存在領域に対して、前記パターン画像と、前記色変換テーブルと、に基づき求められた色彩を施す、
ことを特徴とする画像形成装置。
【請求項５】
請求項２記載の画像形成装置であって、
前記色彩指定情報で指定される色彩、及び前記領域指定情報で指定される領域は、
当該原稿に付加される識別符号のバリエーションによって指定され、
前記識別符号のバリエーションに対し、該当する色彩をそれぞれ関係付けて記憶する色変換テーブルをさらに備え、
前記画像処理手段は、
前記識別符号に基づき復号された指定領域に対して、前記識別符号と、前記色変換テーブルと、に基づき求められた色彩を施す、
ことを特徴とする画像形成装置。
【発明の詳細な説明】
【技術分野】
【０００１】
本発明は、カラー画像に係る原稿をモノクロ印刷した出力物のみが手元にあり、その原稿は手元にない場合であっても、元のカラー画像原稿を復元可能な画像処理方法、及び画像形成装置に関する。
【背景技術】
【０００２】
複写機、プリンタ等の画像形成装置では、画像に施される色彩の観点から、大きくモノクロ印刷とカラー印刷に分類することができる。カラー印刷の範疇には、さらに少数色カラー印刷とフルカラー印刷が含まれ、その印刷コストは、モノクロ印刷、少数色カラー印刷、フルカラー印刷の順に高くなる。そのため、印刷物の品質よりも印刷コスト抑制が重視される場面では、カラー画像に係る原稿であってもそれを印刷出力する際には、モノクロ印刷を行うことが必然的に多くなる。
【０００３】
こうしたモノクロ印刷を多用すべき要請が存在することを背景とし、モノクロ印刷における画質を高めることを目的として、モノクロ印刷モードとカラー印刷モードとを有し、モノクロ印刷モードが設定された場合に、グレイ画像を複数の色を用いて再現する画像処理方法が知られている（例えば特許文献１参照）。
【０００４】
ところで、カラー画像に係る原稿をモノクロ印刷した出力物のみが手元にあり、その原稿は手元にない場合に、元のカラー画像原稿を復元したいという要請が生じる場合がある。
【０００５】
しかしながら、かかる要請に応える技術は存在しないため、前記要請に応えることはできないものと考えられていた。
【特許文献１】特開平１０−２２９５０１号公報
【発明の開示】
【発明が解決しようとする課題】
【０００６】
解決しようとする問題点は、従来技術では、カラー画像に係る原稿をモノクロ印刷した出力物のみが手元にあり、その原稿は手元にない場合に、元のカラー画像原稿を復元したいという要請に応えることはできなかった点である。
【課題を解決するための手段】
【０００７】
本発明は、カラー画像に係る原稿をモノクロ印刷した出力物のみが手元にあり、その原稿は手元にない場合であっても、元のカラー画像原稿を復元可能な画像処理方法を提供することを目的として、原稿画像に係る色彩を指定するための色彩指定情報及びその色彩を施すべき領域を指定するための領域指定情報が付加されている原稿を読み取る原稿読取工程と、前記原稿読取工程で読み取った原稿から、当該原稿に係る画像、並びに、前記色彩指定情報及び前記領域指定情報を取得する情報取得工程と、前記情報取得工程で取得した原稿に係る画像のうち当該取得した領域指定情報に基づく指定領域に対して、当該取得した色彩指定情報に基づく色彩を施す画像処理工程と、前記画像処理工程で画像処理後の原稿に係るカラー画像を出力する画像出力工程と、を備えたことを最も主要な特徴とする。
【発明の効果】
【０００８】
本発明に係る画像処理方法によれば、色彩指定情報及び領域指定情報が付加されている原稿を読み取り、前記読み取った原稿から、当該原稿に係る画像、並びに、前記色彩指定情報及び前記領域指定情報を取得し、前記取得した原稿に係る画像のうち当該取得した領域指定情報に基づく指定領域に対して、当該取得した色彩指定情報に基づく色彩を施し、前記画像処理後の原稿に係るカラー画像を出力するので、従って、カラー画像に係る原稿をモノクロ印刷した出力物のみが手元にあり、その原稿は手元にない場合であっても、元のカラー画像原稿を復元可能な画像処理方法を提供することができる。
【発明を実施するための最良の形態】
【０００９】
カラー画像に係る原稿をモノクロ印刷した出力物のみが手元にあり、その原稿は手元にない場合であっても、元のカラー画像原稿を復元可能な画像処理方法を提供するといった目的を、色彩指定情報及び領域指定情報が付加されている原稿を読み取り、前記読み取った原稿から、当該原稿に係る画像、並びに、前記色彩指定情報及び前記領域指定情報を取得し、前記取得した原稿に係る画像のうち当該取得した領域指定情報に基づく指定領域に対して、当該取得した色彩指定情報に基づく色彩を施し、前記画像処理後の原稿に係るカラー画像を出力する画像処理方法によって実現した。
【実施例】
【００１０】
以下、本発明実施例に係る画像処理方法、及び画像形成装置について、図面を参照しつつ詳細に説明する。
【００１１】
［本発明実施例に係る画像処理方法を適用した画像形成装置の概略構成］
図１は、本発明実施例に係る画像形成装置の概略構成を示すブロック図、図２は、同画像形成装置における操作パネル部の外観図である。
【００１２】
本装置は、例えば、コピージョブ、Fax送信ジョブ、印刷ジョブ、又はネットワーク送信（メール送信やデータ送信）ジョブを含む諸機能が利用可能であり、マイクロコンピュータ及び専用のハードウェア回路等から構成される主制御部１１によって制御される。この主制御部１１に接続され諸機能を担う入出力機器として、本装置は、原稿読取部２１、画像処理部３１、エンジン部４１、操作パネル部５１、ファクシミリ通信部６１、ＨＤＤ（ハードディスクドライブ）６３、並びに、ネットワークＩ／Ｆ（インタフェース）部６５を備える。
【００１３】
主制御部１１は、スキャナ機能を実現するための動作制御を行うスキャナコントローラ１３と、ファクシミリ機能を実現するための動作制御を行うファクシミリコントローラ１５、プリンタ機能を実現するための動作制御を行うプリンタコントローラ１７、並びに、コピー機能を実現するための動作制御を行うコピーコントローラ１９を内蔵し、本装置全体の動作を統括制御する。
【００１４】
本発明において原稿読取手段として機能する原稿読取部２１は、図示しないスキャナを構成する画像照射ランプ２３及びＣＣＤ（電荷結合素子： Charge Coupled Device ）センサ２５を含む。原稿読取部２１は、画像照射ランプ２３により原稿を照射し、その反射光をＣＣＤセンサ２５で受光することにより、原稿から画像を読み取り、読み取った画像に対応する画像データを画像処理部３１へ出力する。
【００１５】
本発明において画像処理手段として機能する画像処理部３１は、補正部３３、画像加工部３５及び画像メモリ３７を含む。画像処理部３１は、原稿読取部２１で読み取られた画像データを、必要に応じて補正部３３及び画像加工部３５で処理し、処理後の画像データを画像メモリ３７に記憶させ、或いは、エンジン部４１、ファクシミリ通信部６１等へ出力する。補正部３３は、原稿読取部２１で読み取られた画像データに対してレベル補正、ガンマ補正等の所定の補正処理を行う。画像加工部３５は、画像データの圧縮又は伸張処理、及び拡大又は縮小処理等の種々の加工処理を行う。
【００１６】
エンジン部４１は、図示しない給紙カセットや給紙ローラ等から構成される用紙搬送部４３、図示しない感光体ドラム、露光装置、現像装置等から構成される画像形成部（本発明の「画像形成手段」に相当する。）４５、図示しない転写ローラ等から構成される転写部４７、及び図示しない定着ローラ等から構成される定着部４９を含む。エンジン部４１は、原稿読取部２１で読み取られた画像データ、ネットワークＩ／Ｆ部６５を介してＬＡＮ（Local Area Network）によりクライアントＰＣ（パーソナルコンピュータ）等から送信された画像データ、ファクシミリ通信部６１を用いて外部のファクシミリ装置等から受信したファクスデータ等の画像データを用いて画像を用紙に印刷する。具体的には、用紙搬送部４３は用紙を画像形成部４５へ搬送し、画像形成部４５は上記の画像データに対応するトナー像を形成し、転写部４７はトナー像を用紙に転写し、定着部４９はトナー像を用紙に定着させて画像を形成する。
【００１７】
操作パネル部５１は、図１及び図２に示すように、タッチパネル部５３及び機能キー部５５を含む。操作パネル部５１は、ユーザがスキャナ機能、ファクシミリ機能、プリンタ機能、コピー機能等に関する操作を行うために使用され、ユーザによる操作指令等を主制御部１１に与える。
【００１８】
タッチパネル部５３は、タッチパネルとカラーＬＣＤ（Liquid Crystal Display）とを組み合わせたタッチパネルユニット等から構成され、種々の設定画面、例えば、コピー機能実行時には、原稿サイズ、コピーサイズ、複写部数などを設定するための情報を表示するとともに、ユーザが該当部分をタッチすることにより種々の操作指令を入力するための操作ボタン類を表示する。
【００１９】
機能キー部５５は、画像形成処理に係る各種機能を選択する際にユーザによって操作される複数の機能キー、並びに、ショートカットキーを備えており、例えば、コピー機能、プリンタ機能、スキャナ機能、ファクシミリ機能など諸機能のなかから、所要機能のキー入力操作をユーザが選択的に実行する際に、又は、ユーザが複写部数やコピー実行指令などを操作入力する際に用いられる。
【００２０】
ファクシミリ通信部６１は、符号化／復号化部（図示省略）、変復調部（図示省略）及びＮＣＵ（Network Control Unit）（図示省略）を含む。ファクシミリ通信部６１は、原稿読取部２１によって読み取られた原稿の画像データを電話回線を介してファクシミリ装置等へ送信したり、ファクシミリ装置等から送信された画像データを受信する。
【００２１】
ＨＤＤ（ハードディスクドライブ）６３は、原稿読取部２１によって読み取られた画像データ及び同画像データに設定されている出力形式等の種々のデータ等を記憶する。ＨＤＤに記憶されている画像データは、画像形成装置、プログラム及び記録媒体内部で使用されるだけでなく、必要に応じて、ネットワークＩ／Ｆ部６５を介してクライアントＰＣ等から確認したり、クライアントＰＣやＦＴＰサーバ等の所定のフォルダへ転送される。
【００２２】
ネットワークＩ／Ｆ部６５は、ネットワークインタフェース（１０／１００Ｂａｓｅ−ＴＸ）等を用い、ＬＡＮを介して接続されたクライアントＰＣ等のユーザ端末６７に対する種々のデータの送受信を制御する。
【００２３】
さて、カラー画像に係る原稿をモノクロ印刷した出力物のみが手元にあり、その原稿は手元にない場合であっても、元のカラー画像原稿を復元可能とするために、本発明実施例に係る画像形成装置は、原稿画像に係る色彩を指定するための色彩指定情報及びその色彩を施すべき領域を指定するための領域指定情報が付加されている原稿を読み取る原稿読取部２１と、原稿読取部２１で読み取った原稿から、当該原稿に係る画像、並びに、前記色彩指定情報及び前記領域指定情報を取得する情報取得部（本発明の「情報取得手段」に相当する。）７１と、情報取得部７１で取得した領域指定情報に基づいて、色指定領域を抽出する色指定領域抽出部７３と、原稿画像に係る濃度、パターン画像、或いは電子すかしのバリエーションに対し、該当する色彩をそれぞれ関係付けて記憶する色変換テーブル７５と、情報取得部７１で取得した原稿に係る画像のうち当該取得した領域指定情報に基づく指定領域に対して、情報取得部７１で取得した色彩指定情報に基づく色彩を施す画像処理部３１と、画像処理部３１で画像処理後の原稿に係るカラー画像を形成する画像形成部（本発明の「画像形成手段」に相当する。）４５と、を備えて構成されている。
【００２４】
［本発明実施例に係る画像形成装置の動作］
次に、本発明実施例に係る画像形成装置の動作について、図３乃至図６を参照して説明する。図３は、本発明実施例に係る画像形成装置の動作フローチャートを示し、図４は、第１実施例に係る色変換テーブルを示し、図５は、第２実施例に係る色変換テーブルの説明図を示し、図６は、第３実施例に係る原稿画像例を示す。なお、第１乃至第３実施例に係る画像形成装置では、基本的な動作の流れが共通している。そこで、はじめに、図３に示す共通する動作の流れを示す動作フローチャートに沿って基本動作を説明し、その後に、第１乃至第３実施例に係る特有の構成部分について説明することとする。
【００２５】
（第１乃至第３実施例に共通する基本動作）
図３に示すように、原稿読取部２１における原稿自動送り装置（不図示）に原稿がセットされた後に、同原稿の複写指示が操作パネル部５１を介してユーザに操作入力されると、主制御部１１は、原稿読み取りの開始信号を原稿読取部２１に送出する。これを受けて原稿読取部２１は、原稿読み取りを開始する（ステップ１１）。
【００２６】
ステップＳ１１で読み取られた画像データは、原稿読取部２１から情報取得部７１宛に送出される。これを受けて情報取得部７１は、当該原稿に係る画像を取得する一方で、当該原稿に、原稿画像に係る色彩を指定するための色彩指定情報及びその色彩を施すべき領域を指定するための領域指定情報が付加されているときには、これら各種情報を併せて取得する（ステップ１２）。なお、本実施例では、原稿に対して、色彩指定情報及び領域指定情報を含む各種情報が付加されているものとして、以下の説明を進めるものとする。
【００２７】
次いで、色指定領域抽出部７３は、ステップ１２で取得した各種情報のうち領域指定情報に基づいて、色指定領域を抽出する（ステップＳ１３）。
【００２８】
ステップＳ１３における色指定領域抽出処理の結果、色指定領域が抽出されない（原稿に対して、色彩指定情報及び領域指定情報が付加されていない）旨の判定が下されたとき、色指定領域抽出部７３は、その旨を画像処理部３１宛に送出する。これを受けて画像処理部３１は、通常の処理の流れに従って、原稿に係る画像データを画像形成部４５宛に送出することで、ステップＳ１６において通常の画像形成処理が行われることになる。
【００２９】
ステップＳ１３における色指定領域抽出処理の結果、色指定領域が抽出された（原稿に対して、色彩指定情報及び領域指定情報が付加されている）旨の判定が下されたとき、色指定領域抽出部７３は、その旨を画像処理部３１宛に送出する。これを受けて画像処理部３１は、情報取得部７１で取得した原稿に係る画像のうち当該取得した領域指定情報に基づく指定領域に対して、情報取得部７１で取得した色彩指定情報に基づく色彩を施す画像処理を行う（ステップＳ１５）。ステップＳ１５では、情報取得部７１で取得した原稿に対して、色彩指定情報及び領域指定情報を含む各種情報が付加されているときには、領域指定情報に基づく指定領域に対して、色彩指定情報に基づく色彩を施す画像処理を実行することで、画像処理後の原稿に係るカラー画像を復元するようにしている。
【００３０】
ステップＳ１６において、画像処理部３１は、ステップＳ１５における画像処理後の原稿に係るカラー画像データを画像形成部４５宛に送出することで、領域指定情報に基づく指定領域に対して、色彩指定情報に基づく色彩が施されたカラー画像に係る画像形成処理が行われた後、一連の処理の流れを終了させる。
【００３１】
ここで、本発明実施例に係る原稿画像に対し、色彩指定情報及び領域指定情報を含む各種情報がどのような態様で付加されるのか、が問題となる。これら各種情報の現実の付加態様が、本発明を実効あらしめる上できわめて重要な構成要素であると考えられるからである。そこで、以下に、各種情報の付加態様と、その動作について説明する。
【００３２】
（第１実施例に係る各種情報の付加態様、及び動作）
第１実施例に係る各種情報の付加態様は、最も基本的な態様であり、カラー画像に係る原稿そのものを活用して、各種情報の付加を行うものである。すなわち、第１実施例では、色彩指定情報で指定される色彩は、原稿画像に係る濃度バリエーションによって指定され、領域指定情報で指定される領域は、原稿画像に係る存在領域によって指定される。また、第１実施例では、例えば図４に示すように、原稿画像に係る濃度（輝度値）バリエーションに対し、該当する色彩をそれぞれ関係付けて（図４の例では、輝度値「７５」に対して「赤色」又は「緑色」を、輝度値「１５０」に対して「橙色」を、輝度値「２２０」に対して「黄色」を、輝度値「３０」に対して「青色」を、それぞれ関係付けている。）記憶することで、色変換テーブル７５が構成されている。
【００３３】
そして、第１実施例では、画像処理部３１は、原稿画像に係る存在領域に対して、原稿画像に係る濃度（輝度値）と、色変換テーブル７５と、に基づき求められた色彩を施す画像処理を実行する。具体的には、画像処理部３１は、原稿画像に係る輝度値が「７５」である画像部分に対しては「赤色」又は「緑色」を割り当て、原稿画像に係る輝度値が「１５０」である画像部分に対しては「橙色」を割り当て、原稿画像に係る輝度値が「２２０」である画像部分に対しては「黄色」を割り当て、原稿画像に係る輝度値が「３０」である画像部分に対しては「青色」を割り当てる、といったように、カラー原稿を復元出力することなる。なお、原稿画像に係る輝度値が「７５」である画像部分に対しては、「赤色」又は「緑色」の二つの色彩指定候補が存在するが、かかる場合には、当該ユーザにおいて適宜設定される一方の色彩（例えば「赤色」）を優先的に割り当てる構成を採用することができる。
【００３４】
（第２実施例に係る各種情報の付加態様、及び動作）
第２実施例に係る各種情報の付加態様は、第１実施例の変形例として位置付けられる態様であり、カラー画像を特定のパターン画像に変換することで、各種情報の付加を行うものである。すなわち、第２実施例では、色彩指定情報で指定される色彩は、パターン画像のバリエーションによって指定され、領域指定情報で指定される領域は、原稿画像に係る存在領域によって指定される。また、第２実施例では、例えば図５に示すように、パターン画像のバリエーションに対し、該当する色彩をそれぞれ関係付けて（図５の例では、パターン画像「縦縞」に対して「赤色」を、パターン画像「横縞」に対して「青色」を、パターン画像「格子縞」に対して「黄色」を、それぞれ関係付けている。）記憶することで、色変換テーブル７５が構成されている。
【００３５】
そして、第２実施例では、画像処理部３１は、原稿画像に係る存在領域に対して、パターン画像と、色変換テーブル７５と、に基づき求められた色彩を施す画像処理を実行する。具体的には、画像処理部３１は、原稿画像に係るパターン画像として「縦縞」が提示された画像部分に対しては「赤色」を割り当て、原稿画像に係るパターン画像として「横縞」が提示された画像部分に対しては「青色」を割り当て、原稿画像に係るパターン画像として「格子縞」が提示された画像部分に対しては「黄色」を割り当てる、といったように、カラー原稿を復元出力することなる。
【００３６】
ここで、第１実施例に係る画像形成装置では、本来的に「赤字」や「青字」等を用いて強調しようとしている箇所が、モノクロ印刷によって逆に目立たなくなってしまうという不都合が生じる。
【００３７】
これに対し、第２実施例に係る画像形成装置では、「赤字」や「青字」等を用いて強調しようとしている箇所は、特定のパターン画像に変換されるので、そのパターン画像を視覚的な強調効果を踏まえて適切に設定すれば、上記の不都合を解消することができる。
【００３８】
（第３実施例に係る各種情報の付加態様、及び動作）
第３実施例に係る各種情報の付加態様は、第１又は第２実施例とは異なり、カラー画像に係る色彩及びその領域を所定のルールに従う識別符号に変換することで、各種情報の付加を行うものである。すなわち、第３実施例では、色彩指定情報で指定される色彩、及び領域指定情報で指定される領域は、当該原稿に付加される識別符号のバリエーションによって指定される。また、第３実施例では、識別符号のバリエーションに対し、該当する色彩をそれぞれ関係付けて記憶することで、色変換テーブル７５が構成されている。
【００３９】
そして、第３実施例では、画像処理部３１は、識別符号に基づき復号された指定領域に対して、前記識別符号と、色変換テーブル７５と、に基づき求められた色彩を施す画像処理を実行する。ここで、識別符号としては、例えば、バーコードや電子透かしなどを採用することができる。具体的には、例えば、図６に示す識別符号８１に、原点に係る基準情報、色彩指定情報、及び原点を基準として色指定領域を指定するための領域指定情報を符号化することで埋め込み付加しておく態様を採用することができる。この場合、画像処理部３１は、図６に示すように、識別符号８１に基づき復号された第１指定領域８３に対して、識別符号８１と、色変換テーブル７５と、に基づき求められた色彩「赤色」を施すとともに、識別符号８１に基づき復号された第２指定領域８５に対して、識別符号８１と、色変換テーブル７５と、に基づき求められた色彩「青色」を施す、といったように、カラー原稿を復元出力することなる。
【００４０】
［本発明実施例の効果］
以上述べたように、本発明実施例に係る画像処理方法によれば、色彩指定情報及び領域指定情報が付加されている原稿を読み取り、前記読み取った原稿から、当該原稿に係る画像、並びに、前記色彩指定情報及び前記領域指定情報を取得し、前記取得した原稿に係る画像のうち当該取得した領域指定情報に基づく指定領域に対して、当該取得した色彩指定情報に基づく色彩を施し、前記画像処理後の原稿に係るカラー画像を出力するので、従って、カラー画像に係る原稿をモノクロ印刷した出力物のみが手元にあり、その原稿は手元にない場合であっても、元のカラー画像原稿を復元可能な画像処理方法を提供することができる。
【００４１】
一方、本発明実施例に係る画像処理方法が適用された画像形成装置によれば、カラー画像に係る原稿をモノクロ印刷した出力物のみが手元にあり、その原稿は手元にない場合であっても、元のカラー画像原稿を復元可能な画像処理装置を提供することができる。
【００４２】
［その他］
本発明は、上述した実施例に限られるものではなく、請求の範囲及び明細書全体から読み取れる発明の要旨、あるいは技術思想に反しない範囲で適宜変更可能であり、そのような変更を伴う画像処理方法、及び画像形成装置もまた、本発明における技術的範囲の射程に包含されるものである。
【図面の簡単な説明】
【００４３】
【図１】本発明に係る画像形成装置の概略構成を示す機能ブロック図である。
【図２】同画像形成装置における操作パネル部の外観図である。
【図３】本発明実施例に係る画像形成装置の動作フローチャート図である。
【図４】第１実施例に係る色変換テーブルを示す説明図である。
【図５】第２実施例に係る色変換テーブルを示す説明図である。
【図６】第３実施例に係る原稿画像例を示す説明図である。
【符号の説明】
【００４４】
１１  主制御部
２１  画像読取部（画像読取手段）
３１  画像処理部（画像処理手段）
４５  画像形成部（画像形成手段）
７１  情報取得部（情報取得手段）
７３  色指定情報抽出部
７５  色変換テーブル
【図１】
2009253666.tif 000003
【図２】
2009253666.tif 000004
【図３】
2009253666.tif 000005
【図４】
2009253666.tif 000006
【図５】
2009253666.tif 000007
【図６】
2009253666.tif 000008